(57)【特許請求の範囲】
【請求項１】
複数の色フィルタが画素単位で配置された撮像素子と、
フリーズスイッチが操作されたとき上記撮像素子へ所定期間の画素信号が蓄積されないように照明光を遮断する遮光手段と、
上記撮像素子に蓄積された画素信号を上下ライン間で混合して出力する撮像素子出力時画素混合読出し方式、及び１回の露光で上記撮像素子に蓄積された全画素の信号を上記遮光手段で設定された遮光期間と次のフィールド期間を利用し奇数ラインと偶数ラインに分けて順次読み出す全画素読出し方式の両方式の駆動制御を実行し、この撮像素子出力時画素混合読出し方式で動画を形成し、他方の全画素読出し方式で静止画を形成する制御回路と、
上記全画素読出し方式の実行時に、撮像素子から得られた上記奇数ラインの画像信号及び上記偶数ラインの画像信号を記憶するメモリと、
上記全画素読出し方式の実行時に、上記メモリ内に先に記憶された奇数又は偶数ラインの一方の画像信号を１フィールド期間だけ遅らせて他方のラインの画像信号と同一位相に揃えるための位相調整メモリと、
上記の各メモリから同一位相で読み出された同一露光時の上記奇数ラインと上記偶数ラインの画素信号同士を加算混合して奇数及び偶数フィールドの静止画信号を形成する混合回路と、
上記撮像素子から出力された画素混合読出し方式の動画信号を直接入力し、この動画信号と上記混合回路から出力された静止画信号をフリーズスイッチの動作に基づいて切り替える画像切替え回路と、を備えてなる電子内視鏡装置。
【請求項２】
上記制御回路は、露光調整のために上記撮像素子の電荷蓄積時間を制御する電子シャッタ機能を実行することを特徴とする上記請求項１記載の電子内視鏡装置。
【発明の詳細な説明】
【０００１】
【発明の属する技術分野】
本発明は電子内視鏡装置、特に撮像素子に蓄積される全画素を読み出す全画素読出し方式を利用して静止画を形成する電子内視鏡装置の構成に関する。
【０００２】
【従来の技術】
電子内視鏡装置では、固体撮像素子として例えばＣＣＤ（Charge Coupled Device）が用いられており、このＣＣＤにおいては光電変換素子により画素単位で蓄積される電荷を読み出すことにより、画像信号（ビデオ信号）が得られるように構成される。そして、例えば同時式の電子内視鏡装置では、上記ＣＣＤの上面に、画素単位で色フィルタが配置され、これによってカラー画像が得られる。
【０００３】
図５には、上記の色フィルタの配列状態が示されており、図示されるように、ＣＣＤ１の撮像面には、例えば偶数ラインにＭｇ（マゼンタ）、Ｃｙ（シアン）の画素、奇数ラインにＧ（グリーン）、Ｙｅ（イエロー）の画素が配列される。このＣＣＤ１では、これらの色フィルタを介して画素単位の蓄積電荷（画素信号）が得られることになる。
【０００４】
そして、従来の色差線順次混合読出し方式によれば、上下ラインの画素の蓄積電荷が加算混合されて読み出される。例えば、１回目の露光時に０ラインと１ラインの混合信号、２ラインと３ラインの混合信号、…というような奇数（Ｏｄｄ）フィールドのビデオ信号が読み出され、２回目の露光時に１ラインと２ラインの混合信号、３ラインと４ラインの混合信号、…というような偶数（Ｅｖｅｎ）フィールドのビデオ信号が読み出される。従って、ＣＣＤ１の２ラインの混合信号がフィールド画像の１ラインの信号となり、１回の露光で奇数又は偶数の１フィールドのデータが得られることになる。
【０００５】
図６には、上記ＣＣＤ１から読み出される信号の動作が示されており、電子内視鏡装置では、図（Ａ）に示されるように、１／６０秒（垂直同期期間）毎のＯ（Ｏｄｄ）／Ｅ（Ｅｖｅｎ）信号（フィールド信号）に基づいて奇数フィールドと偶数フィールドを形成している。このため、図（Ｂ）に示されるように、上記１／６０秒の期間中の電子シャッタの蓄積（露光）時間Ｔにより信号蓄積が行われ、次の１／６０秒の期間で蓄積混合信号の読出しが行われる。この結果、図（Ｃ）に示されるように、奇数（Ｏｄｄ）フィールド信号、偶数（Ｅｖｅｎ）フィールド信号が得られることになり、例えばｎ−１番目の奇数フィールド信号は、図５の左側に示した（０＋１）ライン，（２＋３）ライン，（４＋５）ライン…の混合信号となり、ｎ番目の偶数フィールド信号は、図５の右側に示した（１＋２）ライン，（３＋４）ライン…の混合信号となる。
【０００６】
そして、これらの奇数フィールド信号と偶数フィールド信号は、インターレース走査されて１フレームの画像として形成され、この画像がモニタ上に動画として表示される。また、内視鏡装置では、操作部にフリーズスイッチが配置されており、このフリーズスイッチが押されたときには、そのときの静止画が形成、表示される。
【０００７】
【発明が解決しようとする課題】
しかしながら、上記同時式の電子内視鏡装置においては、上記図６（Ｃ）で示されるように、１フレーム画像を形成するための奇数フィールド画像と偶数フィールド画像との間に、１／６０秒の時間のずれがあり、この間に内視鏡自体のブレや被観察体の動き等があると、静止画を表示する場合は画質（解像度、色ずれ等）が低下するという問題があった。即ち、動画の場合は、上述したＣＣＤ１における混合読み出し方式により、逆に被写体の動き等を忠実に再現する方がよいことが多いが、静止画の場合は解像度が低下してしまう。
【０００８】
また、電子内視鏡装置では、信号の蓄積時間を変える電子シャッタ機能が多く採用されており、これによれば、近距離で明るい場所等において蓄積時間を短くすれば画質の向上を図ることができる。しかし、図６で示したように、１フレーム画像を形成するための２回の蓄積（露光）の間には、１／６０秒のタイムラグがあり、静止画においては、蓄積時間を短くした効果が十分に享受できないという不都合もある。
【０００９】
本発明は上記問題点に鑑みてなされたものであり、その目的は、１回の露光により撮像素子で得られた全画素を読み出して高画質の静止画を形成し、動画については動きを忠実に再現することができる電子内視鏡装置を提供することにある。
【００１０】
【課題を解決するための手段】
上記目的を達成するために、請求項１に係る発明は、複数の色フィルタが画素単位で配置された撮像素子と、フリーズスイッチが操作されたとき上記撮像素子へ所定期間の画素信号が蓄積されないように照明光を遮断する遮光手段と、上記撮像素子に蓄積された画素信号を上下ライン間で混合して出力する撮像素子出力時画素混合読出し方式、及び１回の露光で上記撮像素子に蓄積された全画素の信号を上記遮光手段で設定された遮光期間と次のフィールド期間を利用し奇数ラインと偶数ラインに分けて順次読み出す全画素読出し方式の両方式の駆動制御を実行し、この撮像素子出力時画素混合読出し方式で動画を形成し、他方の全画素読出し方式で静止画を形成する制御回路と、上記全画素読出し方式の実行時に、撮像素子から得られた上記奇数ラインの画像信号及び上記偶数ラインの画像信号を記憶するメモリと、上記全画素読出し方式の実行時に、上記メモリ内に先に記憶された奇数又は偶数ラインの一方の画像信号を１フィールド期間だけ遅らせて他方のラインの画像信号と同一位相に揃えるための位相調整メモリと、上記の各メモリから同一位相で読み出された同一露光時の上記奇数ラインと上記偶数ラインの画素信号同士を加算混合して奇数及び偶数フィールドの静止画信号を形成する混合回路と、上記撮像素子から出力された画素混合読出し方式の動画信号を直接入力し、この動画信号と上記混合回路から出力された静止画信号をフリーズスイッチの動作に基づいて切り替える画像切替え回路と、を備えてなることを特徴とする。
請求項２に係る発明は、上記制御回路は、露光量調整のために上記撮像素子の電荷蓄積時間を制御する電子シャッタ機能を実行することを特徴とする。
【００１１】
上記の構成によれば、例えば通常時では撮像素子出力時画素混合読出し方式が選択されており、従来と同様に撮像素子から読み出された画素混合信号は直接、画像切替え回路へ供給され、この画像切替え回路を介して出力された画素混合信号は、動画についての信号処理が施される。そして、フリーズスイッチが押されたときに、全画素読出し方式に切り替えられ、これによって静止画が形成される。
【００１２】
例えば、所定（１番目とする）の１／６０秒の期間（垂直同期期間）内での露光（露光時間は任意）により蓄積された電荷は、２番目の期間（１／６０秒）で撮像素子（ＣＣＤ）の奇数ラインが読み出されて（転送ラインから読み出す）所定のメモリに記憶され、３番目（次の露光時）の期間で残りの偶数ラインが読み出され、これも所定メモリに記憶される。そして、この偶数ラインを読み出せるようにするために、上記２番目の期間の光源光が遮光手段により遮蔽される。
【００１３】
即ち、上記奇数ラインの蓄積電荷を順次読み出す２番目の期間に、従来のように次の露光の電荷が蓄積されると、残りの偶数ラインの読み出しができない。そのため、本発明では、２番目の期間内での光出力をなくして、３番目の期間で偶数ラインの蓄積電荷を読み出す。これにより、１回の露光で得られた撮像素子の全画素分の信号を読み出すことができる。
【００１４】
次に、上記のメモリに最初に記憶された例えば奇数ラインのビデオ信号は、更に位相調整メモリに格納されて、１／６０秒だけ遅延され、その後に、混合回路により、奇数ラインと偶数ラインのデータとの間で画素混合処理が行われる。即ち、この画素混合処理は、結果としては撮像素子からの信号出力時に行われる撮像素子出力時画素混合読出し方式と同等の信号を形成するが、１回の露光で得られた情報に基づいて画素混合を行うという点で、撮像素子出力時画素混合読出し方式と区別されるものである。
【００１５】
そして、この画素混合信号により奇数フィールドと偶数フィールドのビデオ信号が形成され、これらのビデオ信号に基づいて静止画が表示される。従って、静止画は１回の露光で得られた全画素の信号に基づいて形成されることになり、高画質の画像となる。
【００１６】
【発明の実施の形態】
図１には、実施形態の一例としての電子内視鏡装置の回路構成が示されており、この電子内視鏡装置はスコープ（電子内視鏡）１０を、画像処理回路を有するプロセッサ装置や光源を備えた光源装置（又はこれらの装置を一体化した装置）に接続する構成となる。このスコープ１０には、その先端部に図５で説明したものと同様の色フィルタを備えたＣＣＤ１２が設けられると共に、光源１４の光を先端部まで導くためのライトガイド１５が配設される。また、スコープ１０の操作部には、静止画表示のためのフリーズスイッチ１６が設けられる。
【００１７】
上記ＣＣＤ１２には、これを駆動するためのＣＣＤ駆動回路１８が接続され、この駆動回路１８にはタイミングジュネレータ１９、マイコン（マイクロコンピュータ）２０が接続され、このマイコン２０には上記フリーズスイッチ１６の動作信号が入力される。上記ＣＣＤ駆動回路１８は、マイコン２０の制御に基づきタイミング信号を入力し、動画のためのＣＣＤ出力時画素混合読出し方式と、静止画のための全画素読出し方式の駆動制御をする。
【００１８】
例えば、この全画素読出し方式の場合は、１回の露光でＣＣＤ１２に蓄積された全画素分の蓄積データを、奇数ラインと偶数ラインに分けて（時間的にもずらして）読み出すための２種類のパルスを上記ＣＣＤ駆動回路１８から供給し、これに基づいてＣＣＤ１２から上記奇数ラインの信号と偶数ラインの信号を別々に順次読み出すための制御を行う。なお、ＣＣＤ出力時画素混合読出し方式では１種類の読出しパルスを各ラインに与えている。
【００１９】
また、上記ＣＣＤ１２の出力信号を入力するＡ／Ｄ変換器２２が設けられ、このＡ／Ｄ変換器２２の後段には、全画素読出しのために、上記奇数ラインの画像データを記憶する第１メモリ２３、偶数ラインの画像データを記憶する第２メモリ２４、上記第１メモリ２３のデータをそのまま記憶し、読出しのタイミングを１／６０秒だけ遅らせるための位相調整用の第３メモリ２５、静止画用混合回路２６が設けられる。即ち、ＣＣＤ１２で得られた全画素信号は、奇数ラインのデータ（ビデオ信号）と偶数ラインのデータに分けられた状態で、それぞれのメモリ２３，２４に一旦格納されるが、第１メモリ２３の奇数ラインデータは１／６０秒遅らせることにより、第２メモリ２４に格納された偶数ラインデータと同一位相とする。
【００２０】
これにより、両方の画像データが同時に読み出せることになり、次段の混合回路２６では、第３メモリ２５の奇数ラインの画素データと第２メモリ２４の偶数ラインの画素データを加算混合（静止画用画素混合処理）することができる。従って、静止画の場合は、この混合回路２６で従来の色差線順次混合読出し方式と同等の画素混合信号が形成される。
【００２１】
図２には、上述したＣＣＤ１２から混合回路２６までの回路で形成される静止画データの内容が示されている。図（Ａ）に示されるように、ＣＣＤ１２では、走査線数に対応して、０ラインからＮラインまで水平ラインが設けられ、この水平ラインの画素データを転送ラインに転送して読み出すように構成される。そして、上記ＣＣＤ１２の奇数ライン（１，３，５…ライン）のデータが図（Ｂ）の第１メモリ２３（及び第３メモリ２５）に格納され、偶数ライン（２，４，６…ライン）のデータが図（Ｃ）の第２メモリ２４に格納される。
【００２２】
これらメモリ２５，２４のデータは、上述したように混合回路２６によって、図（Ｂ）と図（Ｃ）のライン同士で画素混合が行われ、図（Ｄ）に示されるように、０ライン＋１ライン，２ライン＋３ライン，４ライン＋５ライン…の加算演算データが奇数（Ｏｄｄ）フィールドデータとして出力される。また、図（Ｃ）の読出しラインを下側に１ラインずらした状態で（図示Ｃ1 の位置から読み出す）、図（Ｂ）とライン同士で画素混合が行われ、図（Ｅ）に示されるように、１ライン＋２ライン，３ライン＋４ライン，５ライン＋６ライン…の加算演算データが偶数（Ｅｖｅｎ）フィールドデータとして出力される。なお、当該例ではＣＣＤ１２のラインの奇数をＯＤＤ、偶数をＥＶＥＮ、インターレース走査の対象となるフィールドの奇数をＯｄｄ、偶数をＥｖｅｎとして区別する。
【００２３】
図１において、上記混合回路２６の後段には、動画と静止画を切替える画像切替え回路２７が設けられ、この画像切替え回路２７は、上記フリーズスイッチ１６が押された時、マイコン２０の制御によりａ端子からｂ端子へ切り替える。この画像切替え回路２７には、ＤＶＰ（デジタルビデオプロセッサ）２９が接続されており、このＤＶＰ２９では、従来と同様の画素混合読出し方式でのカラー信号処理が施され、例えば色差信号や輝度信号が形成され、像位置の制御、拡大処理等も行われる。なお、図示していないが、その他にも自動利得制御やガンマ処理回路等が適当な位置に配置される。
【００２４】
このＤＶＰ２９の後段には、奇数フィールドデータを記憶する第４メモリ３０、偶数フィールドデータを記憶する第５メモリ３１、切替え回路３２及びＤ／Ａ変換器３３が設けられる。即ち、上記の第４メモリ３０には、図２（Ｄ）のデータが色差信号等に変換された奇数（Ｏｄｄ）フィールドデータが記憶され、第５メモリ３１には、図２（Ｅ）のデータが色差信号等に変換された偶数（Ｅｖｅｎ）フィールドデータが記憶される。
【００２５】
一方、上記スコープ１０に配設されたライトガイド１５に光を供給する光源部（又は光源装置）には、上記光源１４とライトガイド１５の入射端との間に、絞り３５及び遮光板３６が配置される。この遮光板３６は、例えば半円状板を回転させる構成とされ、この遮光板３６の回転駆動のために、駆動回路３８が接続されている。当該例では、この遮光板３６は、１／６０秒毎のサイクルのフィールドＯ／Ｅ信号において、上記フリーズスイッチ１６が押された後の所定の１／６０秒間だけ光を遮断する。
【００２６】
また、上記絞り３５には絞り制御回路３９、上記ランプ１４にはランプ駆動回路４０が接続されており、この絞り制御回路３９は上記ＤＶＰ２９で得られる輝度信号に基づいて絞り３５を駆動し、光源１４の出力光量を調整するようになっている。
【００２７】
当該例は以上の構成からなり、その作用を図３及び図４（各図はＱ点で時間的に一致する）を参照しながら説明する。図３（Ｂ）に示されるように、フィールドＯ（Ｏｄｄ）／Ｅ（Ｅｖｅｎ）信号として、従来と同様に、１／６０秒で１フィールド画像を形成するタイミング信号が用いられる。まず、通常状態では動画処理、即ちＣＣＤ出力時画素混合読出し方式を実行するように設定されており、上記図１の遮光板３６は光を遮断しない位置に配置され、光源１４からの光はライトガイド１５を介して先端部から被観察体内へ照射される。
【００２８】
この光照射により、先端部のＣＣＤ１２では被観察体内の像が捉えられ、ＣＣＤ１２には、像光に対応した電荷が蓄積される。この蓄積電荷は、ＣＣＤ駆動回路１８からの駆動パルスにより水平ライン間の画素が加算されて読み出され、図５で説明した画素混合信号が出力される。そして、このＣＣＤ１２の出力信号は、Ａ／Ｄ変換器２２からスルーラインＬを介して画像切替え回路２７へ供給される。このとき、画像切替え回路２７はマイコン２０により端子ａ側へ切り替えられており、ＣＣＤ出力信号はＤＶＰ２９へ供給される。このＤＶＰ２９の後の動作は、従来と同様であり、第４メモリ３０に格納された奇数フィールド信号と第５メモリ３１に格納された偶数フィールド信号に基づいて動画がモニタに表示される。
【００２９】
一方、スコープ１０のフリーズスイッチ１６が押し操作されたときは、マイコン２０により、上記画素混合読出し方式から静止画のための全画素読出し方式に切り替えられる。例えば、図３（Ａ）に示されるように、フリーズスイッチ１６によるトリガーＴr1（又はＴr2）が与えられたとすると、図３（Ｃ）に示されるように、次のＯ／Ｅ信号の立上がり時（ｔ1 ）から１／６０秒間だけ、上記遮光板３６が光路を塞ぐことになり、その間、光が遮断される［図３（Ｄ）］。従って、全画素が読み出される画像データは、遮光された期間より一つ前の１／６０秒の期間の露光ＬでＣＣＤ１２で蓄積された電荷となる。この電荷は、図３（Ｇ）の電子シャッタパルスｇ1 で得られたものであり、この全画素の電荷（データ）がＣＣＤ駆動回路１８によって読み出される。
【００３０】
即ち、図３（Ｅ）が図２（Ｂ）で示した奇数ラインの読出しパルスＰ1 、図３（Ｆ）が図２（Ｃ）で示した偶数ラインの読出しパルスＰ2 であり、図示のようにｔ2 時のパルスをなくした読出しパルスＰ1 及びｔ1 時のパルスをなくした読出しパルスＰ2 により、ＣＣＤ１２から奇数（ＯＤＤ）ラインデータと偶数（ＥＶＥＮ）ラインデータが順に読み出される。従って、奇数ラインの読出しは、上記の遮光期間（ｔ1 〜ｔ2 ）に行われ、偶数ラインの読出しは次の期間（ｔ2 〜ｔ3 ）の間に行われる。なお、図３（Ｇ）に示されるように、電子シャッタパルスにおいても上記ｔ1 からｔ2 の間には存在しない。
【００３１】
そして、上記奇数ラインデータはマイコン２０の制御に基づき、図４（Ｂ）のように第１メモリ２３へ書き込まれ、偶数ラインデータは図４（Ｃ）のように第２メモリ２４へ書き込まれる。次に、図４（Ｄ），（Ｅ）に示されるように、第１メモリ２３の奇数ラインデータ及び第２メモリ２４の偶数ラインデータが２回ずつ読み出され、奇数ラインデータについては、１／６０秒の位相調整をするために第３メモリ２５へ格納される。従って、図４の（Ｅ）と（Ｆ）から理解されるように、奇数ラインと偶数ラインのデータは同一位相（タイミング）に揃うことになる。
【００３２】
このようにして上記メモリ２５，２４から読み出された各データは、混合回路２６により画素混合されるが、当該例ではこれを可能とするために、図４（Ｇ）のように、第１メモリ２３と第２メモリ２４を書込み禁止とする。そして、これと同一期間に画素混合変換が行われ［図４（Ｈ）］、まず図２（Ｄ）に示した、０ライン＋１ライン，２ライン＋３ライン，４ライン＋５ライン…の加算データが出力され、これが奇数（Ｏｄｄ）フィールドデータとして第４メモリ３０に記憶される［図４（Ｉ）］。次に、図２（Ｅ）に示した、１ライン＋２ライン，３ライン＋４ライン，５ライン＋６ライン…の加算データが出力され、これが偶数（Ｅｖｅｎ）フィールドデータとして第５メモリ３１に記憶される。
【００３３】
そうして、これらの奇数フィールドデータと偶数フィールドデータが読み出されると同時に、切替え回路３２は図４（Ｋ），（Ｌ）のように、各フィールドデータが交互に出力されるように第４メモリ３０と第５メモリ３１を選択する。これらフィールドデータは、Ｄ／Ａ変換器３３を介してモニタへ出力され、このモニタにインターレース走査により画像表示される。この結果、静止画については、同一露光時に得られた全画素データに基づいて画像表示されることになり、高画質の画像が得られることになる。従って、１／６０秒間に内視鏡自体のブレ、或いは被観察体に動きがあったとしても、その影響が小さい鮮明な静止画の観察が可能となる。
【００３４】
ところで、上記実施形態例では、上述したように、被観察体内の明るさに応じて電子シャッタ機能を用いることが可能であるが、本発明によれば、この電子シャッタ機能の効果を更に高めることになる。即ち、従来の方式では、２回の露光で得られたビデオ信号に基づいて画像が形成されるので、２回の露光間において動き、ブレがあると、それが画質に影響する。しかし、本発明では、１回の露光で得られたビデオ信号に基づいて静止画を形成するので、この１回の露光時間の中で信号蓄積時間を短くした効果が直接的に現れ、画質向上が顕著に現れるという利点がある。
【００３５】
また、当該例では、静止画を形成する全画素読出しのための期間を１フレーム形成期間（１／３０秒であるが、これは数フレームの期間としてもよい）とし、その後迅速に上記画像切替え回路２７によって動画信号の方へ切り替える構成となっているので、画面の明るさを一定にする絞り制御が良好に働くという利点がある。即ち、上記の絞り制御回路３９では、ＤＶＰ２９で形成された輝度信号に基づいて光量調整をしており、長い期間の静止画動作の後に動画に戻した場合は、遠い過去のデータに基づいて光量制御を行うことになり、ハレーションが生じたり、逆に暗い画面となったりする。しかし、当該例では、１フレームの期間の後、速やかに動画信号へ切り替えることから、上記のような問題がなくなり、安定した明るさの画像を得ることができるという利点がある。
【００３６】
更に、本発明は、上記ＣＣＤ１２の構造やクロック周波数を変えることなく、全画素を読み出すという利点もある。即ち、従来においては、２倍の転送周波数を用いて、１／６０秒の期間内に全画素を順次（奇数ライン、偶数ラインの区別なく）読み出すことも提案されている。しかし、この場合は上記ＣＣＤ１の転送ライン（垂直ＣＣＤ）の構造を倍の密度で形成しなければならないため構成が複雑となり、しかもクロック周波数が倍となる等の不都合がある。本発明では、このような構成を採ることなく、全画素を読み出せるという利点がある。
【００３７】
【発明の効果】
以上説明したように、本発明によれば、撮像素子に蓄積された画素信号を上下ライン間で混合して出力する撮像素子出力時画素混合読出し方式により動画を形成し、所定の期間だけ照明光を遮断する遮光手段を用いながら、１回の露光で上記撮像素子に蓄積された全画素の信号を奇数ラインと偶数ラインに分けて順次読み出す全画素読出し方式により静止画を形成し、かつ位相調整メモリと混合回路によって、同一露光時の奇数ラインと偶数ラインの画素信号同士を加算混合して１フィールドの静止画信号を形成するようにしたので、動画については動きを忠実に再現した滑らかな画像、一方静止画についてはブレのない高画質の画像を得ることができる。
【００３８】
また、静止画においては、電子シャッタにより蓄積時間を短くした効果を得ることが可能となり、更にはＣＣＤの構造やクロック周波数を変えることなく、全画素読出しを行うことができるという利点がある。
【図面の簡単な説明】
【図１】本発明の実施形態例に係る電子内視鏡装置の回路構成を示すブロック図である。
【図２】図１のＣＣＤから混合回路までの間で読み出される画像データを示す図である。
【図３】実施形態例における静止画形成動作を示す説明図である。
【図４】実施形態例における静止画形成動作を示し、図３の続きを示す説明図である。
【図５】従来のＣＣＤにおける色フィルタの構成及び画素混合読出しを説明する図である。
【図６】従来のＣＣＤでの動作を示す説明図である。
【符号の説明】
１，１２  …  ＣＣＤ、
１０  …  スコープ、
１６  …  フリーズスイッチ、
１８  …  ＣＣＤ駆動回路、
２０  …  マイコン、
２３  …  第１メモリ、  ２４  …  第２メモリ、
２５  …  位相調整（第３）メモリ、
２６  …  混合回路、
２７  …  画像切替え回路、
３０，３１  …  メモリ、
３６  …  遮光板、
３８  …  遮光板駆動回路。
【図１】
0003836593.tif 000002
【図２】
0003836593.tif 000003
【図３】
0003836593.tif 000004
【図４】
0003836593.tif 000005
【図５】
0003836593.tif 000006
【図６】
0003836593.tif 000007